(57)【特許請求の範囲】
【請求項１】
一端に端子が設けられたカード型電子機器を装填する装置であって、
前記カード型電子機器を装填するための装填空間部と、この装填空間部に上記カード型電子機器を厚さ方向に沿って取り出し可能に挿入する出し入れ口とを有する装置本体と、
前記装置本体の装填空間部に設けられ、前記カード型電子機器の端子に接触する電気端子と、
前記装置本体の出し入れ口に設けられ、前記電気端子とは反対側に位置するとともに、前記カード型電子機器の端子とは反対側の他端が引っ掛かる押え縁と、
前記装置本体の装填空間部に設けられ、前記出し入れ口から前記装填空間部に挿入される前記カード型電子機器を受けるとともに、前記装填空間部から前記カード型電子機器が取り出されている時に前記電気端子を保護する端子保護手段と、
前記装置本体に設けられ、前記カード型電子機器を前記装填空間部に保持する押え部材と、を具備し、
前記端子保護手段は、
前記出し入れ口から前記装填空間部に挿入される前記カード型電子機器を受けるとともに、前記電気端子に対応する位置に端子包囲部を有する受け台と、
前記受け台を前記出し入れ口に向けて押圧する弾性部材とを備え、
前記受け台は、前記端子包囲部が前記出し入れ口の方向から前記電気端子を包囲する第１の位置と、前記第１の位置よりも前記電気端子の方向に押し込まれて前記電気端子を露出させる第２の位置との間で移動可能であるとともに、常に前記弾性部材を介して前記第１の位置に保持され、
前記押え部材は、前記出し入れ口に突出する第１の位置と、前記出し入れ口から退く第２の位置との間で移動可能であり、常に弾性部材を介して前記第１の位置に保持されるとともに、前記第１の位置に保持されている時に前記出し入れ口に位置する傾斜面が形成された先端部を有し、
前記カード型電子機器は、前記端子とは反対側の他端を前記出し入れ口に挿入して前記押え縁と前記受け台との間に差し込み、かつ前記端子を有する一端を前記押え部材の傾斜面に載せて押圧することで、前記押え部材を前記第１の位置から前記第２の位置に移動させて前記装填空間部に入り込むとともに、前記受け台を前記弾性部材に抗して押圧し、この押圧により、前記受け台が前記第１の位置から前記第２の位置に移動して前記電気端子と前記カード型電子機器の端子とが接触するとともに、前記押え部材が前記第２の位置から前記第１の位置に移動し、この押え部材および前記押え縁に前記受け台を介して前記カード型電子機器を押し付けることで、前記カード型電子機器が前記装填空間部に保持されることを特徴とするカード型電子機器装填装置。
【請求項２】
一端に端子が設けられたカード型電子機器を装填する装置であって、
前記カード型電子機器を装填するための装填空間部と、この装填空間部に上記カード型電子機器を厚さ方向に沿って取り出し可能に挿入する出し入れ口とを有する装置本体と、
前記装置本体の装填空間部に設けられ、前記カード型電子機器の端子に接触する電気端子と、
前記装置本体の装填空間部に設けられ、前記出し入れ口から前記装填空間部に挿入される前記カード型電子機器を受けるとともに、前記装填空間部から前記カード型電子機器が取り出されている時に前記電気端子を保護する端子保護手段と、
前記装置本体の装填空間部に設けられ、前記カード型電子機器を前記装填空間部に保持する押え部材と、を具備し、
前記端子保護手段は、
前記装置本体の装填空間部に前記出し入れ口に対して近づいたり離れる方向に沿って移動可能に設けられ、前記カード型電子機器を受ける受け台と、
この受け台を前記出し入れ口に向けて押圧する弾性部材と、
前記装置本体の装填空間部に設けられ、前記電気端子を取り付けるとともに前記受け台により動作される端子移動体と、を備え、
前記受け台は、前記装填空間部から前記カード型電子機器が取り出されている時に前記出し入れ口に接近する第１の位置と、前記装填空間部に前記カード型電子機器が装填された時に前記カード型電子機器を受けるとともに、前記第１の位置よりも前記電気端子の方向に押し込まれて前記電気端子を露出させる第２の位置との間で移動可能であり、
前記端子移動体は、前記受け台が前記第１の位置にある時に前記電気端子を前記出し入れ口から離れた位置に移動させるとともに、前記受け台が前記第２の位置にある時に前記電気端子を前記出し入れ口に接近する位置に移動させて前記カード型電子機器の端子に接触させることを特徴とするカード型電子機器装填装置。
【請求項３】
一端に端子が設けられたカード型電子機器を装填する装置であって、
前記カード型電子機器を装填するための装填空間部と、この装填空間部に上記カード型電子機器を厚さ方向に沿って取り出し可能に挿入する出し入れ口とを有する装置本体と、
前記装置本体の装填空間部に設けられ、前記カード型電子機器の端子に接触する電気端子と、
前記装置本体の装填空間部に設けられ、前記出し入れ口から前記装填空間部に挿入される前記カード型電子機器を受けるとともに、前記装填空間部から前記カード型電子機器が取り出されている時に前記電気端子を保護する端子保護手段と、
前記装置本体の装填空間部に設けられ、前記カード型電子機器を前記装填空間部に保持する押え部材と、を具備し、
前記端子保護手段は、
前記装置本体の装填空間部に前記出し入れ口に対して近づいたり離れる方向に沿うとともに、前記出し入れ口および前記電気端子に対し傾斜する方向に移動可能に設けられ、前記カード型電子機器を受ける受け台と、
この受け台を前記電気端子に向けて押圧する弾性部材と、を備え、
前記受け台は、前記装填空間部から前記カード型電子機器が取り出されている時に前記電気端子に接近して前記電気端子を前記出し入れ口から隠す第１の位置と、前記装填空間部に前記カード型電子機器が装填された時に前記カード型電子機器を受けて前記電気端子から離れるとともに、前記電気端子を露出させて前記カード型電子機器の端子に接触させる第２の位置との間で移動可能であることを特徴とするカード型電子機器装填装置。
【請求項４】
電子機器本体と、
前記電子機器本体の外面部に設けられた請求項１ないし請求項３のいずれかに記載のカード型電子機器装填装置と、を具備したことを特徴とする電子機器。
【発明の詳細な説明】
【０００１】
【発明の属する技術分野】
本発明はカード型電子機器装填装置、およびこの装填装置を備えた電子機器に関する。
【０００２】
【従来の技術】
現在、パソコンなどの電子機器では、カード型電子機器（ＳＤカード、ＰＣカードなど）を装填して、カード型電子機器との間で情報の書込み、読み取りをすることが行なわれている。このカード型電子機器は、カード型本体の内部にＩＣなどの部品を実装しており、下側端部の外部には電子機器との間で情報のやり取りをするために端子が備えられている。また、電子機器はカード型電子機器を着脱可能に装填する装填装置を備えており、この装填装置には装填されたカード型電子機器に装備されている端子が接触する電気端子が設けられている。
【０００３】
電子機器に装備されている従来の装填装置はスロットイン方式が採用されている。このスロットイン方式の装填装置は、カード形をなす装填空間部を有するとともに、この装填空間部における一方の端面部に出し入れ口を設けたもので、カード型電子機器を出し入れ口を介して装填空間部に挿入して装填し、また装填空間部から引出すものである。
【０００４】
【発明が解決しようとする課題】
しかし、このスロットイン方式の装填装置は、カード型電子機器を装填空間部に装填すると、カード型電子機器（カード型本体）全体が装填空間部に収まって隠されてしまうために、カード型本体の外表面に貼付けたラベルを見ることができなくなり、ラベルの内容の確認が不可能となるという問題がある。
【０００５】
スロットイン方式の装填装置はカード型電子機器の長さに応じた長さを必要とするために、通常電子機器の幅方向に沿って設けている。しかし、電子機器がその側面部を使用できず、側面部に出し入れ口を設けることができない製品の場合には、装填装置を電子機器の奥行き方向に沿って設けなければならず、製品の奥行き寸法が大きくなるという問題がある。
【０００６】
そこで、このようなスロットイン方式の装填装置の問題点を解決するために、嵌め込み方式を採用した装填装置が提案されている。この嵌め込み方式の装填装置は、横方向に配置されたカード型の装填空間部を有し、この装填空間部の厚さ方向（上下方向）に対向する一対の面のうち一方の面（上面）を出し入れ口として開放したものである。カード型本体は横にした状態で上面の出し入れ口から装填空間部に嵌め込んで装填している。
【０００７】
このため、装填空間部に嵌め込んだカード型電子機器の上面部が出し入れ口を通して外部に露出し、カード型本体に貼り付けたラベルを外部から見ることができて、ラベルの内容を確認できる。また、嵌め込み方式の装填装置は、側面部に出し入れ口を設けることができない電子機器であっても、この電子機器の表面部に幅方向に沿って設けることができ、製品の奥行き寸法を増大させることが無い。
【０００８】
しかしながら、この嵌め込み方式の装填装置では、カード型電子機器を装填しない場合には、装填空間部の内部に設けた電気端子が出し入れ口を通して外部に露出する。このため、人の手や物品が出し入れ口を介して装填空間部の内部に入り電気端子に触れて、電気端子を傷つけることがある。
【０００９】
このため、嵌め込み方式の装填装置を開発するに当たっては、カード型電子機器を装填していない時に、電気端子を保護できるようにすることが要求されている。
【００１０】
本発明は、カード型電子機器を装填していない時に電気端子を保護することができるカード型電子機器装填装置およびこの装置を備えた電子機器を提供するものである。
【００１１】
【課題を解決するための手段】
本発明の一つの形態に係るカード型電子機器装填装置は、
一端に端子が設けられたカード型電子機器を装填するための装填空間部と、この装填空間部に上記カード型電子機器を厚さ方向に沿って取り出し可能に挿入する出し入れ口とを有する装置本体と、
前記装置本体の装填空間部に設けられ、前記カード型電子機器の端子に接触する電気端子と、
前記装置本体の出し入れ口に設けられ、前記電気端子とは反対側に位置するとともに、前記カード型電子機器の端子とは反対側の他端が引っ掛かる押え縁と、
前記装置本体の装填空間部に設けられ、前記出し入れ口から前記装填空間部に挿入される前記カード型電子機器を受けるとともに、前記装填空間部から前記カード型電子機器が取り出されている時に前記電気端子を保護する端子保護手段と、
前記装置本体に設けられ、前記カード型電子機器を前記装填空間部に保持する押え部材と、を具備している。
前記端子保護手段は、
前記出し入れ口から前記装填空間部に挿入される前記カード型電子機器を受けるとともに、前記電気端子に対応する位置に端子包囲部を有する受け台と、
前記受け台を前記出し入れ口に向けて押圧する弾性部材とを備え、
前記受け台は、前記端子包囲部が前記出し入れ口の方向から前記電気端子を包囲する第１の位置と、前記第１の位置よりも前記電気端子の方向に押し込まれて前記電気端子を露出させる第２の位置との間で移動可能であるとともに、常に前記弾性部材を介して前記第１の位置に保持され、
前記押え部材は、前記出し入れ口に突出する第１の位置と、前記出し入れ口から退く第２の位置との間で移動可能であり、常に弾性部材を介して前記第１の位置に保持されるとともに、前記第１の位置に保持されている時に前記出し入れ口に位置する傾斜面が形成された先端部を有している。
前記カード型電子機器は、前記端子とは反対側の他端を前記出し入れ口に挿入して前記押え縁と前記受け台との間に差し込み、かつ前記端子を有する一端を前記押え部材の傾斜面に載せて押圧することで、前記押え部材を前記第１の位置から前記第２の位置に移動させて前記装填空間部に入り込むとともに、前記受け台を前記弾性部材に抗して押圧し、この押圧により、前記受け台が前記第１の位置から前記第２の位置に移動して前記電気端子と前記カード型電子機器の端子とが接触するとともに、前記押え部材が前記第２の位置から前記第１の位置に移動し、この押え部材および前記押え縁に前記受け台を介して前記カード型電子機器を押し付けることで、前記カード型電子機器が前記装填空間部に保持されることを特徴としている。
【００１２】
この構成によれば、嵌め込み方式を採用した装填装置であって、カード型電子機器を装填していない時に電気端子を保護することができる。
【００１３】
【発明の実施の形態】
本発明の第１の実施の形態について図１ないし図８を参照して説明する。
【００１４】
この実施の形態の装填装置は、装置本体の装填空間部を水平に位置させ、カード型電子機器を上側から装填空間部に嵌め込む方式にしたものである。そして、装填装置を電子機器として携帯型パソコンに搭載したものである。
【００１５】
図１は携帯型パソコンを示すもので、１０１はパソコン本体、１０２は表示パネルである。カード型電子機器装填装置１０３はパソコン本体１０１の上面部に設けている。
【００１６】
図２はこの実施の形態にかかわるカード型電子機器の概念を表すものである。図２において１はカード型電子機器、１１は装填装置の装置本体である。カード型電子機器１は例えばＳＤカード（以下ＳＤカードと称する）であり、長方形をなすカード型本体２の内部に図示しないがＩＣなどの部品が実装され、カード型本体２の厚さ方向に対向する一対の面のうち一方の面（下面）における一端部には複数の端子３が幅方向に並べて設けられている。この端子３はＩＣなどの実装部品と電気的に接続されている。ＳＤカード１の上面には、このカードに係る必要事項を記載したラベル（図示せず）が貼り付けられている。
【００１７】
装填装置の装置本体１１は、パソコン本体１０１の上面部を形成する板材を用いたものである。装置本体１１は、ＳＤカード１を着脱可能に装填する水平なカード型の装填空間部１２を有しており、この装填空間部１２はＳＤカード１より一回り大きい寸法の長方形をなしている。この装填空間部１２は、装置本体１１に対して上向きに開放する出し入れ口１３を有している。すなわち、装填空間部１２は装置本体１１の上面部に形成されている。装填空間部１２の下面１４は、後述するようにＳＤカード１を受ける受け台１７を逃げるために、装填空間部１２の内部周囲に沿った枠形をなしている。
【００１８】
装填空間部１２の下面１４における一端部には、複数の電気端子１５が幅方向に間隔を置いて並べて設けられている。電気端子１５は、装填装置１０３を装備した電子機器に設けられる回路に電気的に接続されており、ＳＤカード１を装填空間部１２に装填した時に、ＳＤカード１の下面部に設けた端子３に接触するものである。
【００１９】
そして、ＳＤカード１を装填空間部１２に装填する場合には、ＳＤカード１を横にして装填空間部１２の出し入れ口１３の上側に位置させる。この場合、端子３と装填空間部１２の電気端子１５の位置を合わせるようにＳＤカード１の向きを設定する。ＳＤカード１を出し入れ口１３から装填空間部１２の内部に挿入して、端子３を電気端子１５に接触させる。この際、装填空間部１２の出し入れ口１３は開放されたままであるから、装填空間部１２に嵌め込んだＳＤカード１の上面を、出し入れ口１３を通して外部から見ることができる。すなわち、ＳＤカード１の上面に貼り付けたラベルを出し入れ口１３を通して外部から見ることができる。
【００２０】
この装填装置は、このような基本的な構成をなすものであり、さらに装填したＳＤカード１を受ける手段、押える手段および押出す手段を具備している。この構成について図３および図４を参照して説明を加える。図３は装填装置を示す断面図、図４は同平面図である。
【００２１】
装置本体１１の装填空間部１２の内部には、下面１４より下側に平面長方形をなす凹部１６が形成されている。この凹部１６は、ＳＤカード１の大きさに対応する長方形をなしている。この凹部１６の一端部には、複数の櫛歯形部１６ａが幅方向に間隔を存して並んで形成されている。これら複数の櫛歯形部１６ａは、電気端子１５を設けた下面１４の部分を残して凹部１６の底面から受け台１７の移動方向（上下方向）に沿って延びるものである。
【００２２】
装填空間部１２の凹部１６には、受け台１７が水平な状態で昇降可能に配置されている。この受け台１７の一端部には、複数の端子包囲部１７ａが幅方向に間隔を存して並べて形成されている。これら複数の端子包囲部１７ａは、櫛歯形部１６ａに挟まれた凹部１６の部分に入り込んで凹部１６に摺動自在に組み合わされるもので、これら端子包囲部１７ａは受け台１７の移動方向（上下方向）に沿って延びている。これにより受け台１７の端子包囲部１７ａは、凹部１６の櫛歯形部１６ａに沿って上下移動することが可能である。
【００２３】
ここで、受け台１７は、装填空間部１２にＳＤカード１が装填されていない時に、電気端子１５に対して出し入れ口１３に接近して（上側で）端子包囲部１７ａが電気端子１５を包囲する第１の位置Ａと、装填空間部１２にＳＤカード１が装填された時に、これを受けて電気端子１５に対して出し入れ口１３から離間して（下側で）電気端子１５を露出させる第２の位置Ｂとの間を移動する。
すなわち、受け台１７が第１の位置Ａにある時、各端子包囲部１７ａが櫛歯形部１６ａに設けられた各電気端子１５をこれより高い位置で幅方向両側から挟んで包囲する。これにより、受け台１７は、出し入れ口１３から装填空間部１２の内部に入り込む手や物品が電気端子１５に触れないように、各電気端子１５を保護する。
【００２４】
凹部１６の底面と受け台１７との間には、圧縮コイルばねからなる複数の弾性部材１８が配置されている。弾性部材１８は、受け台１７を出し入れ口１３に接近する向き（上向き）に弾性力を加えて第１の位置Ａに保持している。受け台１７は、装填空間部１２に装填されたＳＤカード１を受けて下側から支えるとともに、弾性部材１８により押し上げられてＳＤカード１を出し入れ口１３へ押出すものである。
【００２５】
装填空間部１２における出し入れ口１３の一端部には、スリット形の凹部２０が装置本体１１の内部に水平に形成され、この凹部２０は出し入れ口１３の縁部に開口している。この凹部２０には板材からなる押え部材１９が出し入れ口１３の長さ方向に沿って移動自在に挿入支持されている。この押え部材１９は、装填空間部１２に支持されたＳＤカード１を上側から押えるもので、受け台１７の幅寸法に近い長さを有している。
すなわち、押え部材１９は、その先端が凹部２０の出し入れ口１３に突出してＳＤカード１を押える第１の位置Ｃと、先端が凹部２０の内部に後退（没入）して出し入れ口１３から離れる第２の位置Ｄとの間を移動する。押え部材１９は、凹部２０に設けた圧縮コイルばねからなる弾性部材２１により凹部２０から突出する向き（ＳＤカード１を押える向き）に力を加えられて常時第１の位置Ｃに保持されている。
押え部材１９の先端部に傾斜面１９ａが形成されている。この傾斜面１９ａは、上側から下向きに力を加えた時に、押え部材１９を後退移動させる方向に分力が作用するように傾斜しており、この傾斜面１９ａは直線および曲面の両方が可能である。
【００２６】
出し入れ口１３の他端部には、その内部に突出する押え縁（ノッチ）２２が設けられている。この押え縁２２は、装填空間部１２に装填されたＳＤカード１を一定位置で上側から押えるものである。
【００２７】
このように構成された装填装置の動作について、図５ないし図８も参照して説明する。図５ないし図７は夫々ＳＤカード１を装填装置に装填する各動作を模式的に示す断面図、図８はＳＤカード１を装填装置に装填した状態を示す平面図である。
まず、図５に示すようにＳＤカード１の他端部を出し入れ口１３から装填空間部１２の内部に挿入し、第１の位置Ａにある受け材１７の他端部と押え縁２２との間に差し込む。
【００２８】
図６に示すようにＳＤカード１の一端部を、第１の位置Ｃの位置にある押え部材１９の先端部の傾斜面１９ａに載せて下向きに押し下げる。押え部材１９は第２の位置Ｄまで後退移動して、先端部が凹部２０の内部に没する。このため、ＳＤカード１の一端部は押え部材１９の先端部を通過して出し入れ口１３から装填空間部１２の内部に挿入する。この時、受け台１７はＳＤカード１に押されて弾性部材１８を押圧して第２の位置Ｂまで下降している。図７に示すように受け台１７の端子包囲部１７ａは凹部１６の櫛歯形部１６ａにある電気端子１５より下側まで下降し、電気端子１５が端子包囲部１７ａより上側に露出する。
【００２９】
図７および図８に示すように押え部材１９は弾性部材２１に押されて再び第１の位置Ｃまで突出する。ＳＤカード１全体が水平な状態で受け台１７に載る。弾性部材１８は圧縮されてその反発により受け台１７を押し上げる。しかし、ＳＤカード１の一端部は上側から押え部材１９に押えられ、他端部は押え縁２２に押えられて上昇移動を阻止される。
【００３０】
このため、ＳＤカード１は装填空間部１２の内部に装填された状態に保持される。装填空間部１２に設けた電気端子１５は、ＳＤカード１の下面の端子３に対向して接触する。このようにしてＳＤカード１を容易に装填し、装填したＳＤカード１を確実に保持できる。
【００３１】
装填したＳＤカード１を取出す場合には、前述した装填動作と逆の動作を行う。すなわち、押え部材１９を押して後退移動させると、ＳＤカード１の押えが開放されるために、受け台１７が弾性部材１８により第１の位置Ａに上昇移動してＳＤカード１を押し上げる。ＳＤカード１は装填空間部１２の外部へ押出される。このようにしてＳＤカード１を容易に取出すことができる。押え部材１９は第１の位置Ｃに前進移動する。
【００３２】
ＳＤカード１を装填しない状態では、受け台１７は弾性部材１８により上昇移動して第１の位置Ａに保持される。受け台１７の端子包囲部１７ａは、凹部１６の櫛歯形部１６ａに沿って上昇移動して第１の位置Ａに達する。櫛歯形部１６ａは第１の位置Ａにおいて、装填空間部１２の下面に設けられた電気端子１５よりも高い出し入れ口１３に近い位置にある。このため、電気端子１５は受け台１７の端子包囲部１７ａに周囲が包囲されて外部から隠される。
したがって、人の手や工具などの物体が出し入れ口１３を介して装填空間部１２の内部に入っても、この物体と電気端子１５との接触が受け台１７の端子包囲部１７ａにより阻止される。また、ＳＤカード１を受ける受け台１７が電気端子１５を保護する部材を兼用するので、電気端子１５を保護する手段の構成が簡素である。
【００３３】
また、この実施の形態のように、ＳＤカード１を横に寝かせて装填空間部１２に上側から嵌め込む方式は、最も自然な操作でＳＤカード１を嵌め込むことができ、装填装置の操作性をより一層高めることができる。また、ＳＤカード１の上面に貼り付けたラベルを無理なく見ることができる。
【００３４】
そして、この実施の形態にようにＳＤカード用の装填装置を搭載したパソコンは、ＳＤカードをパソコンに対して装填、取出しする操作が大変便利である。
【００３５】
第２の実施の形態について図９ないし図１１を参照して説明する。
図９ないし図１１は夫々この実施の形態の装填装置を模式的に示すものである。図９はＳＤカード１を装填していない状態を示す断面図、図１０は同平面図、図１１はＳＤカード１を装填した状態を示す断面図で、図３ないし図７と同じ部分は同じ符号を付して示している。
【００３６】
この実施の形態は、端子保護手段として、受け台と連動する部材に電気端子を取付けた構成を採用したものである。図中３１は装填空間部１２に装填されたＳＤカード１を受ける受け台で、この受け台３１は第１の実施の形態の受け台１７の半分ほどの大きさである。受け台３１は装填空間部１２の凹部１６において他端部側の半分の部分に、出し入れ口１３に対して接近、離間するように上下方向に沿って移動可能に設けられている。受け台３１は弾性部材１８により出し入れ口１３に対して接近する向き（上向き）に力が加えられている。
【００３７】
すなわち、受け台３１は装填空間部１２にＳＤカード１が装填されていない時に上向き移動して出し入れ口１３に接近する第１の位置Ｅと、装填空間部１２にＳＤカード１が装填された時にこれを受けて下向き移動して出し入れ口１３から離間する第２の位置Ｆとの間を移動する。
【００３８】
３２は端子移動体である。この端子移動体３２は装填空間部１２の凹部１６の長さを有する板材である。この端子移動体３２は、凹部１６の一端部側の半分の部分に設けられ、装填空間部１２の長さ方向の中間部が幅方向に沿った支点軸３３により回動可能に支持されたシーソ型をなすものである。端子移動体３２の一端部に複数の電気端子１５が並べて取り付けられ、端子移動体３２の他端部は受け台３１の一端部に連結されている。
すなわち、端子移動体３２は、支点軸３３を中心として電気端子１５を凹部１６の内部に位置させる第１の位置Ｇと、電気端子１５を凹部１６の上側（外部）に位置させる第２の位置Ｈとの間で回動可能となっている。この端子移動体３２の回動は、受け台３１の上下移動に連動して行なわれる。
【００３９】
そして、装填空間部１２にＳＤカード１が装填されていない場合には、受け台３１が第１の位置Ｅにある。この場合、端子移動体３２は他端部が受け台３１により引き上げられ、一端部が下降するように回動して第１の位置Ｇに位置する。端子移動体３２の一端部に取付けた電気端子１５は、装填空間部１２の下面１４より下側に変位して凹部１６の内部に入る。
すなわち、端子移動体３２は、電気端子１５が出し入れ口１３から離間した第１の位置Ｇに移動するように動作される。このため、装填空間部１２にＳＤカード１が装填されていない場合に、人の手や物品が出し入れ口１３を介して装填空間部１２に入っても電気端子１５に接触することを確実に防止できる。
【００４０】
装填空間部１２にＳＤカード１を装填して受け台３１に載せると、受け台３１は下向きに移動して出し入れ口１３から離間する第２の位置Ｆに移動する。この場合、端子移動体３２は他端部が受け台３１により押し下げられ、一端部が上昇するように回動する。端子移動体３２の一端部に取付けた電気端子１５は、装填空間部１２の下面１４より上側に変位する。すなわち、端子移動体３２は電気端子１５が出し入れ口１３に接近した第２の位置Ｈに移動するように回動される。
【００４１】
このような装填装置では、ＳＤカード１を装填空間部１２に容易に装填し、装填したＳＤカード１を確実に保持できるとともに、ＳＤカード１を装填空間部１２から容易に取出すことができる。また、ＳＤカード１を装填空間部１２に装填していない場合に、電気端子１５に外部から人の手や物品が接触することを防止できる。
【００４２】
第３の実施の形態について図１２ないし図１４を参照して説明する。
図１２ないし図１４はこの実施の形態の装填装置を模式的に示している。図１２はこの実施の形態の装填装置においてＳＤカード１を装填していない状態を示す断面図、図１３は同平面図、図１４はＳＤカード１を装填した状態を示す断面図で、図３ないし図７と同じ部分は同じ符号を付して示している。
【００４３】
この実施の形態は、受け台を電気端子を隠す位置へ傾斜移動させる構成を採用したものである。図中４１は装填空間部１２に装填されたＳＤカード１を受ける受け台である。この受け台４１は、装填空間部１２の凹部１６の出し入れ口１３に対して接近、離間する方向に沿って移動可能に設けられている。
すなわち、受け台４１は傾斜した移動を可能とするように、上面は水平面、下面は傾斜面として形成されている。凹部１６の底部には、受け台４１を案内する傾斜したガイドレール４２と、受け台４１を受け止める受け止め部４３とが設けられている。この受け台４１は、弾性部材４４により出し入れ口１３に接近する向き、言換えると電気端子１５に接近する向き（上向き）に力を加えられている。
【００４４】
すなわち、受け台４１は装填空間部１２にＳＤカード１が装填されていない時に、電気端子１５に接近してこれを出し入れ口１３から隠す第１の位置Ｉへ移動する。また、装填空間部１２にＳＤカード１を装填して受け台４１に載せた場合には、受け台４１は電気端子１５および出し入れ口１３から離間して電気端子１５を露出させる第２の位置Ｊへ移動する。
【００４５】
このような装填装置では、ＳＤカード１を装填空間部１２に容易に装填し、装填したＳＤカード１を確実に保持できるとともに、ＳＤカード１を装填空間部１２から容易に取出すことができる。また、ＳＤカード１を装填空間部１２に装填していない場合に、電気端子１５に外部から人の手や物品が接触することを防止できる。
さらに、ＳＤカード１を受ける受け台４１が電気端子１５を保護する部材を兼用するので、電気端子１５を保護する手段の構成が簡素である。
【００４７】
【発明の効果】
以上詳述した本発明によれば、カード型電子機器を装填空間部に容易に装填し、この装填したカード型電子機器を確実に保持できるとともに、装填空間部から容易に取り出すことができる。そして、カード型電子機器が装填空間部から取り出されている場合に、受け台で電気端子を隠すことができ、人の手や工具などの物体が電気端子に接触するのを防止できる。
【図面の簡単な説明】
【図１】本発明の一実施の形態における装填装置を装備した携帯型パソコンを示す斜視図。
【図２】同実施の形態における装填装置を模式的に示す図。
【図３】同実施の形態における装填装置を示す断面図。
【図４】同実施の形態における装填装置を示す平面図。
【図５】同実施の形態における装填装置を示す断面図。
【図６】同実施の形態における装填装置を示す断面図。
【図７】同実施の形態における装填装置を示す断面図。
【図８】同実施の形態における装填装置を示す平面図。
【図９】第２の実施の形態における装填装置を示す断面図。
【図１０】同実施の形態における装填装置を示す平面図。
【図１１】同実施の形態における装填装置を示す断面図。
【図１２】第３の実施の形態における装填装置を示す断面図。
【図１３】同実施の形態における装填装置を示す平面図。
【図１４】同実施の形態における装填装置を示す断面図。
【符号の説明】
１…カード型電子機器（ＳＤカード）、２…端子、１１…装置本体、１２…装填空間部、１５…電気端子、１７，３１，４１…受け台、１７ａ…端子包囲部、１８…弾性部材、１９…押え部材、２２…押え縁、３２…端子移動体、４４…弾性部材。
【図１】
0003629246.tif 000002
【図２】
0003629246.tif 000003
【図３】
0003629246.tif 000004
【図４】
0003629246.tif 000005
【図５】
0003629246.tif 000006
【図６】
0003629246.tif 000007
【図７】
0003629246.tif 000008
【図８】
0003629246.tif 000009
【図９】
0003629246.tif 000010
【図１０】
0003629246.tif 000011
【図１１】
0003629246.tif 000012
【図１２】
0003629246.tif 000013
【図１３】
0003629246.tif 000014
【図１４】
0003629246.tif 000015